(57)【要約】【課題】  外部装置からアクセス要求を受信したことに従って、スリープ移行時間の経過によって画像読取装置が省電力状態に移行するのを禁止する。【解決手段】  外部装置から送信される読取要求に従って原稿の画像を読み取る画像読取装置であって、画像読取装置を第１電力状態から第１電力状態より消費電力が少ない第２電力状態に移行させるためのスリープ移行時間を設定する設定手段と、設定手段によって設定されたスリープ移行時間が経過したことに従って、画像読取装置を第１電力状態から第２電力状態に移行させる電力制御手段と、外部装置からアクセス要求を受信する受信手段と、を備え、電力制御手段は、アクセス要求の受信に従って、画像読取装置を第２電力状態から第１電力状態に移行させ、画像読取装置は、さらに、アクセス要求の受信に従って、設定手段によって設定されたスリープ移行時間を変更する制御手段、を備える。【選択図】  図８
2017038171.tif 000002
【特許請求の範囲】
【請求項１】
外部装置から送信される読取要求に従って原稿の画像を読み取る画像読取装置であって、
前記画像読取装置を第１電力状態から前記第１電力状態より消費電力が少ない第２電力状態に移行させるためのスリープ移行時間を設定する設定手段と、
前記設定手段によって設定された前記スリープ移行時間が経過したことに従って、前記画像読取装置を前記第１電力状態から前記第２電力状態に移行させる電力制御手段と、
前記外部装置からアクセス要求を受信する受信手段と、を備え、
前記電力制御手段は、前記アクセス要求の受信に従って、前記画像読取装置を前記第２電力状態から前記第１電力状態に移行させ、
前記画像読取装置は、さらに、
前記アクセス要求の受信に従って、前記設定手段によって設定された前記スリープ移行時間を変更する制御手段、を備えることを特徴とする画像読取装置。
【請求項２】
前記制御手段は、前記設定手段によって設定された前記スリープ移行時間を長くする、ことを特徴とする請求項１に記載の画像読取装置。
【請求項３】
前記制御手段は、前記設定手段によって設定された前記スリープ移行時間を、前記スリープ移行時間と予め定められた時間とを加算したスリープ移行時間に変更する、ことを特徴とする請求項２に記載の画像読取装置。
【請求項４】
前記制御手段は、前記設定手段によって設定された前記スリープ移行時間の代わりに予め定められたスリープ移行時間に変更する、ことを特徴とする請求項２に記載の画像読取装置。
【請求項５】
前記制御手段は、前記設定手段によって設定された前記スリープ移行時間が所定時間より短い場合に、前記スリープ移行時間を長くし、前記設定手段によって設定された前記スリープ移行時間が所定時間より長い場合に、前記スリープ移行時間を変更しない、ことを特徴とする請求項１に記載の画像読取装置。
【請求項６】
画像読取装置を前記第１電力状態から前記第２電力状態に移行させるスリープ移行指示をユーザから受け付ける受付手段をさらに備え、
前記電力制御手段は、前記受付手段がユーザから前記スリープ移行指示を受け付けたことに従って、前記画像読取装置を前記第１電力状態から前記第２電力状態に移行させ、
前記制御手段は、前記アクセス要求を受信した場合には、前記スリープ移行指示を受け付けたことに従って前記電力制御手段が前記画像読取装置を前記第１電力状態から前記第２電力状態に移行させるのを禁止する、ことを特徴とする請求項１乃至５の何れか１項に記載の画像読取装置。
【請求項７】
前記制御手段は、所定時間の間、前記スリープ移行指示を受け付けたことに従って前記電力制御手段が前記画像読取装置を前記第１電力状態から前記第２電力状態に移行させるのを禁止する、ことを特徴とする請求項６に記載の画像読取装置。
【請求項８】
外部装置から送信される読取要求に従って原稿の画像を読み取る画像読取装置であって、
画像読取装置を前記第１電力状態から前記第２電力状態に移行させるスリープ移行指示をユーザから受け付ける受付手段と、
前記スリープ移行指示を受け付けたことに従って、前記画像読取装置を前記第１電力状態から前記第２電力状態に移行させる電力制御手段と、
前記外部装置からアクセス要求を受信する受信手段と、を備え、
前記電力制御手段は、前記アクセス要求の受信に従って、前記画像読取装置を前記第２電力状態から前記第１電力状態に移行させ、
前記画像読取装置は、さらに、
前記アクセス要求の受信に従って、前記電力制御手段が前記スリープ移行指示を受け付けたことに基づいて前記画像読取装置を前記第１電力状態から前記第２電力状態に移行させるのを禁止する制御手段と、を備えることを特徴とする画像読取装置。
【請求項９】
前記画像読取装置を第１電力状態から前記第１電力状態より消費電力が少ない第２電力状態に移行させるためのスリープ移行時間を設定する設定手段をさらに備え、
前記電力制御手段は、前記設定手段によって設定された前記スリープ移行時間が経過したことに従って、前記画像読取装置を前記第１電力状態から前記第２電力状態に移行させ、
前記制御手段は、前記アクセス要求の受信に従って、前記設定手段によって設定された前記スリープ移行時間を変更する、ことを特徴とする請求項８に記載の画像読取装置。
【請求項１０】
前記制御手段は、前記アクセス要求の受信に従って、前記設定手段によって設定された前記スリープ移行時間を長くする、ことを特徴とする請求項９に記載の画像読取装置。
【請求項１１】
前記制御手段は、変更された前記スリープ移行時間の間、前記スリープ移行指示を受け付けたことに従って、前記電力制御手段が前記画像読取装置を前記第１電力状態から前記第２電力状態に移行させるのを禁止する、ことを特徴とする請求項９又は１０に記載の画像読取装置。
【請求項１２】
前記制御手段は、予め決められた所定時間の間、前記スリープ移行指示を受け付けたことに従って、前記電力制御手段が前記画像読取装置を前記第１電力状態から前記第２電力状態に移行させるのを禁止する、ことを特徴とする請求項９又は１０に記載の画像読取装置。
【請求項１３】
外部装置から送信される読取要求に従って原稿の画像を読み取る画像読取装置の制御方法であって、
前記画像読取装置を第１電力状態から前記第１電力状態より消費電力が少ない第２電力状態に移行させるためのスリープ移行時間を設定する設定ステップと、
前記設定ステップで設定された前記スリープ移行時間が経過したことに従って、前記画像読取装置を前記第１電力状態から前記第２電力状態に移行させる電力制御ステップと、
前記外部装置からアクセス要求を受信する受信ステップと、
前記アクセス要求の受信に従って、前記画像読取装置を前記第２電力状態から前記第１電力状態に移行させる復帰ステップと、
前記アクセス要求の受信に従って、前記設定ステップで設定された前記スリープ移行時間を変更する制御ステップと、を有することを特徴とする画像読取装置の制御方法。
【請求項１４】
外部装置から送信される読取要求に従って原稿の画像を読み取る画像読取装置の制御方法であって、
画像読取装置を前記第１電力状態から前記第２電力状態に移行させるスリープ移行指示をユーザから受け付ける受付ステップと、
前記スリープ移行指示を受け付けたことに従って、前記画像読取装置を前記第１電力状態から前記第２電力状態に移行させる電力制御ステップと、
前記外部装置からアクセス要求を受信する受信ステップと、
前記アクセス要求の受信に従って、前記画像読取装置を前記第２電力状態から前記第１電力状態に移行させる復帰ステップと、
前記アクセス要求の受信に従って、前記スリープ移行指示を受け付けたことに基づいて前記画像読取装置が前記第１電力状態から前記第２電力状態に移行するのを禁止する制御ステップと、を有することを特徴とする画像読取装置の制御方法。
【発明の詳細な説明】
【技術分野】
【０００１】
本発明は、外部装置からの読取要求に従って原稿の画像を読み取る画像読取装置等に関する。
【背景技術】
【０００２】
外部装置からの読取要求に従って原稿の画像を読み取り、当該画像に対応する画像データを外部装置に送信する画像読取装置が知られている。以下、画像読取装置が、外部装置からの読取要求に従って原稿の画像を読み取る機能をプルスキャン機能とする。
【０００３】
従来、プルスキャン機能を実行する場合に、ユーザが手動で画像読取装置をプルスキャンモードに設定する必要があった。しかしながら、ユーザは、プルスキャン機能を実行する度に、手動でプルスキャンモードに設定しなければならなかった。そこで、外部装置からの指示に基づいて、プルスキャンモードに移行する画像読取装置が提案されている（特許文献１参照）。特許文献１に開示される画像読取装置は、画像読取装置が省電力状態のときに外部装置からプルスキャン機能の読取要求を受信すると、省電力状態からスタンバイ状態に復帰して、プルスキャンモードに移行する。
【先行技術文献】
【特許文献】
【０００４】
【特許文献１】特開２０１４−２３００７０号公報
【発明の概要】
【発明が解決しようとする課題】
【０００５】
上記した特許文献１に開示される画像読取装置は、外部装置からの読取要求によって省電力状態からスタンバイ状態に復帰するので、外部装置は、読取要求を送信する前に読取対象の原稿の状態などを把握することができなかった。そこで、外部装置からの読取要求よりも前のアクセス要求によって、画像読取装置を省電力状態から復帰させることが考えられている。アクセス要求によって画像読取装置を省電力状態からスタンバイ状態に復帰させることによって、読取対象の原稿の状態を確認した上で読取要求を送信することが可能となる。
【０００６】
しかしながら、画像読取装置がアクセス要求によって省電力状態からスタンバイ状態に復帰した場合に、次のような課題がある。
【０００７】
画像読取装置では、予め定めたスリープ移行時間が経過したとき、若しくは、節電ボタンがユーザによって押下されたときに、スタンバイ状態から省電力状態に移行するのが一般的になっている。上記した画像読取装置では、外部装置からのアクセス要求によって省電力状態からスタンバイ状態に復帰させた上で、画像読取装置における読み取り方法や読み取り解像度などのスキャン設定を行う。しかし、スリープ移行時間が経過したときやユーザが節電ボタンを押下したときには、スキャン設定が完了する前に、再び省電力状態に戻ってしまう。
【０００８】
特に、スリープ移行時間として短い時間が設定されていた場合、スキャン設定などをしている間に、スリープ移行時間が経過して画像読取装置が再度省電力状態に移行してしまうという問題があった。また、プルスキャン機能を使用するユーザとは異なるユーザが画像読取装置の節電ボタンを押下することによって、画像読取装置が再度省電力状態に移行してしまうという問題があった。
【０００９】
そこで、本発明は、外部装置からアクセス要求を受信した場合には、スリープ移行時間の経過や節電ボタンの押下によって画像読取装置が省電力状態に移行するのを禁止することを目的とする。
【課題を解決するための手段】
【００１０】
本発明の画像読取装置は、外部装置から送信される読取要求に従って原稿の画像を読み取る画像読取装置であって、画像読取装置を第１電力状態から第１電力状態より消費電力が少ない第２電力状態に移行させるためのスリープ移行時間を設定する設定手段と、設定手段によって設定されたスリープ移行時間が経過したことに従って、画像読取装置を第１電力状態から第２電力状態に移行させる電力制御手段と、外部装置からアクセス要求を受信する受信手段と、を備え、電力制御手段は、アクセス要求の受信に従って、画像読取装置を第２電力状態から第１電力状態に移行させ、画像読取装置は、さらに、アクセス要求の受信に従って、設定手段によって設定されたスリープ移行時間を変更する制御手段、を備える。
【００１１】
また、本発明の画像読取装置は、外部装置から送信される読取要求に従って原稿の画像を読み取る画像読取装置であって、画像読取装置を第１電力状態から第２電力状態に移行させるスリープ移行指示をユーザから受け付ける受付手段と、スリープ移行指示を受け付けたことに従って、画像読取装置を第１電力状態から第２電力状態に移行させる電力制御手段と、外部装置からアクセス要求を受信する受信手段と、を備え、電力制御手段は、アクセス要求の受信に従って、画像読取装置を第２電力状態から第１電力状態に移行させ、画像読取装置は、さらに、アクセス要求の受信に従って、電力制御手段がスリープ移行指示を受け付けたことに基づいて画像読取装置を第１電力状態から第２電力状態に移行させるのを禁止する制御手段と、を備える。
【発明の効果】
【００１２】
本発明の画像読取装置は、外部装置からアクセス要求を受信した場合には、スリープ移行時間の経過や節電ボタンの押下によって画像読取装置が省電力状態に移行するのを禁止する。
【図面の簡単な説明】
【００１３】
【図１】画像形成装置のブロック図
【図２】省電力状態の画像形成装置を示す図
【図３】コンピュータのブロック図
【図４】スリープ移行時間の設定画面を示す図
【図５】デバイス検索画面を示す図
【図６】デバイス確認画面を示す図
【図７】スキャン設定画面を示す図
【図８】プルスキャン機能を実行したときのシーケンス図
【図９】プルスキャン機能を実行するときの画像形成装置の動作を示すフローチャート
【発明を実施するための形態】
【００１４】
以下、本発明を実施するための形態について図面を用いて説明する。
【００１５】
＜画像形成装置１の概要＞
図１は、画像形成装置１のブロック図である。
【００１６】
図１に示すように、画像形成装置（画像読取装置）１は、スキャナ装置２、コントローラ３、プリンタ装置４、画像処理ユニット５、電源装置６、ＦＡＸ装置７、操作部８、及び、ネットワークコントローラ９を備えている。この画像形成装置１は、ＭＦＰ（Ｍｕｌｔｉｆｕｎｃｔｉｏｎ  Ｐｅｒｉｐｈｅｒａｌ）であって、プリント機能、スキャン機能及びファックス機能などを有する。また、本実施形態の画像形成装置１は、プルスキャン機能を有する。プルスキャン機能とは、外部装置から送信された読取要求に基づいて原稿の画像を読み取り、読み取った画像のデジタル画像データを部装置に送信する機能である。
【００１７】
スキャナ装置２は、原稿から光学的に画像を読み取り、デジタル画像を生成する。スキャナ装置２は、原稿を設置可能であって設置された原稿を１枚ずつ給紙する原稿給紙ユニット１１と、原稿給紙ユニット１１によって給紙された原稿の画像を光学的にスキャンして、当該画像のデジタル画像を生成するスキャナユニット１２と、を有する。また、スキャナユニット１２は、図示しないガラス板の原稿台に設置された原稿の画像を光学的にスキャンして、当該画像のデジタル画像を生成することも可能である。
【００１８】
プリンタ装置４は、デジタル画像に基づいて、用紙に画像を形成する。プリンタ装置４は、用紙カセットに設置された紙束から一枚ずつ用紙を供給する給紙ユニット１９と、供給された用紙に画像を形成するマーキングユニット１７と、画像が形成された用紙を排出する排紙ユニット１８と、を有する。
【００１９】
画像処理ユニット５は、縮小や拡大など各種の画像処理を実行する画像処理部２１を有する。
【００２０】
電源装置６は、画像形成装置１の各部に電力を供給する。この電源装置６は、プラグ１１を介して供給される交流の電力を直流の電力に変換して、画像形成装置１の各部に供給する。電源装置６は、ＡＣ−ＤＣコンバータ２０と、複数のスイッチＳＷ１〜ＳＷ４と、を有している。ＡＣ−ＤＣコンバータ２０は、コントローラ３に供給されるコントローラ部電力２５、及び、スキャナ装置２に供給されるスキャナ部電力２６を生成して出力する。また、ＡＣ−ＤＣコンバータ２０は、画像処理ユニット５に供給される画像処理部電力２７、及び、プリンタ装置４に供給されるプリンタ部電力２８を生成して出力する。また、ＡＣ−ＤＣコンバータ２０は、画像形成装置１が省電力状態にときに動作するデバイス（電力制御部１６、ＦＡＸ装置７、操作部８、ネットワークコントローラ９）に供給されるスリープ時電力３１を生成して出力する。
【００２１】
また、画像形成装置１は、ユーザの操作に応じてオン状態又はオフ状態になる電源スイッチ３０を備える。ユーザの操作によって電源スイッチ３０がオン状態になると、プラグ１１を介して交流の電力がＡＣ−ＤＣコンバータ２０に入力される。
【００２２】
ＦＡＸ装置７は、電話回線を介してファクシミリデータを受信したり、電話回線を介してファクシミリデータを送信したりする。
【００２３】
操作部８は、印刷部数やコピーの開始を指示するためのハードキー、及び、画像形成装置１が有する機能を選択するためのメインメニュー画面や画像形成装置１の状態を示すステータス画面などを表示する表示部４１を備えている。また、操作部８は、画像形成装置１を省電力状態からスタンバイ状態に復帰させるためのスリープ復帰指示を受け付けると共に、画像形成装置１をスタンバイ状態から省電力状態に移行させるためのスリープ移行指示を受け付ける節電ボタン４０を有する。
【００２４】
ネットワークコントローラ９は、コンピュータ１０と通信を行うためのインターフェースである。ネットワークコントローラ９は、外部装置であるコンピュータ１０から送信される情報を受信すると共に、コンピュータ１０に対して情報を送信する。
【００２５】
コントローラ３は、上記したスキャナ装置２、プリンタ装置４、画像処理ユニット５、電源装置６、ＦＡＸ装置７、操作部８及びネットワークインターフェース９の動作を制御する。コントローラ３は、ＣＰＵ１３と、ハードディスク装置１４と、メモリ１５と、電力制御部１６と、を有している。ＣＰＵ１３は、メモリ１５に展開されるプログラムに基づいて様々なデータ処理を行う。ハードディスク装置１４は、デジタル画像や制御プログラムなどを記憶する不揮発性の記憶装置である。メモリ１５は、ＤＲＡＭやＲＯＭなどであって、ブートプログラムやスキャナ装置２から受信したデジタル画像データを一時的に保存する。
【００２６】
電力制御部１６は、画像形成装置１の各部への電力供給を制御する。この電力制御部１６は、ＣＰＬＤ（Ｃｏｍｐｌｅｘ  Ｐｒｏｇｒａｍｍａｂｌｅ  Ｌｏｇｉｃ  Ｄｅｖｉｃｅ）によって構成されている。電力制御部１６には、ファックス装置７、操作部８及びネットワークコントローラ９から割り込み信号が入力される。電力制御部１６は、画像形成装置１が省電力状態のときに、割り込み信号が入力されると、画像形成装置１を省電力状態からスタンバイ状態に復帰させる。なお、画像形成装置１が省電力状態から復帰したときに移行する状態は、省電力状態より消費電力が大きい状態であれば、スタンバイ状態以外の状態であっても良い。操作部８の節電ボタン４０が操作されたとき、操作部８から電力制御部１６に割り込み信号が出力される。また、ＦＡＸ装置７がファクシミリデータを受信したとき、ＦＡＸ装置７から電力制御部１６に割り込み信号が出力される。また、ネットワークコントローラ９がＷＯＬ（Ｗａｋｅ  Ｏｎ  ＬＡＮ）パケットを受信したとき、ネットワークコントローラ９から電力制御部１６に割り込み信号が出力される。
【００２７】
ここで、画像形成装置１の電力状態について説明する。画像形成装置１は、スタンバイ状態、又は、スタンバイ状態より消費電力が小さい省電力状態になる。なお、画像形成装置１は、スタンバイ状態及び省電力状態以外の電力状態となっても良い。
【００２８】
スタンバイ状態では、図１に示すように、画像形成装置１の各部に電力が供給されている。電力制御部１６は、制御信号２１−２４のそれぞれを制御して、スイッチＳＷ１−ＳＷ４の全てをオンにする。これにより、ＡＣ−ＤＣコンバータ２０からコントローラ部電力２５、スキャナ部電力２６、画像処理部電力２７及びプリンタ部電力２８が、それぞれコントローラ９、スキャナ装置２、画像処理ユニット５及びプリンタ装置４に供給される。
【００２９】
電力制御部１６は、スイッチＳＷ１−ＳＷ４を個別に制御することが可能である。したがって、電力制御部１６は、使用するべきデバイスにのみ電力を供給することが可能である。例えば、ユーザがコピー機能を実行する場合に、画像形成装置１の各部に電力が供給されるようにＳＷ１−ＳＷ４の全てをオンにする。また、ユーザがファックス送信機能を実行する場合に、スキャナ装置２、コントローラ３及び画像処理ユニット５に電力が供給されるようにＳＷ１、ＳＷ３及びＳＷ４をオンにし、ＳＷ２をオフにする。また、ネットワークコントローラ９が印刷要求を受信した場合に、プリンタ装置４及びコントローラ３に電力が供給されるようにＳＷ１及びＳＷ２をオンにする。
【００３０】
また、省電力状態では、図２に示すように、スキャナ装置２、プリンタ装置４及び画像処理ユニット５などへの電力供給が停止される。具体的には、省電力状態では、ＦＡＸ装置７、操作部８、ネットワークコントローラ９、メモリ１５、電力制御部１６及び電源装置６に電力が供給されているが、その他の箇所には電力が供給されない。この省電力状態は、ＡＣＰＩ規格のＳ３ステートである。電源装置６は、スリープ時電力３１のみを供給して、スキャナ部電力２６、プリンタ部電力２８、画像処理部電力２７及びコントローラ部電力２５を供給しない。
【００３１】
省電力状態に移行する前に、ＣＰＵ１３は、画像形成装置１の状態を示す情報をメモリ１５に保存する。省電力状態において、ネットワークコントローラ９がＷＯＬパケットを受信した場合、ＦＡＸ装置７がファクシミリデータを受信した場合、又は、操作部８の節電ボタン４０が押下された場合に、電力制御部１６は、スイッチＳＷ１−ＳＷ４をオンにする。これにより、画像形成装置１が省電力状態からスタンバイ状態に復帰する。画像形成装置１が省電力状態から復帰するとき、ＣＰＵ１３は、メモリ１５に保存された情報を用いてレジュームする。
【００３２】
＜コンピュータの概要＞
図３は、コンピュータ１０のブロック図である。
【００３３】
コンピュータ１０は、ＣＰＵ５０１、ＲＡＭ５０２、不揮発性の記憶装置５０３、操作部５１０、及び、ネットワークコントローラ５０４を備えている。コンピュータ１０は、例えば、パーソナルコンピュータ、スマートフォン、携帯電話などであって、画像形成装置１と通信可能なコンピュータであればその種類は限定されない。コンピュータ１０の操作部５１０は、タッチパネルであって、テキストやグラフィックスを表示する表示部５１２と、表示部５１２に対するユーザの操作を検知するタッチパネルセンサを含む入力部５１１と、を含む。
【００３４】
＜スリープ移行時間の設定画面＞
図４は、スリープ移行時間の設定画面を示す図である。
【００３５】
スリープ移行時間の設定画面１００は、画像形成装置１の表示部４１に表示される。
スリープ移行時間の設定画面１００は、画像形成装置１がスタンバイ状態から省電力状態に移行するまでの時間（スリープ移行時間）を設定するための時間である。画像形成装置１が使用されずにスリープ移行時間が経過した場合に、画像形成装置１は、スタンバイ状態から省電力状態に移行する。なお、画像形成装置１の使用とは、ユーザが操作部８を操作すること、コンピュータ１０などの外部装置からＷＯＬパケットを受信すること、電話回線を介して外部からファクシミリデータを受信すること、などである。つまり、画像形成装置１は、操作部８が操作されず、且つ、外部装置からＷＯＬパケットを受信せず、且つ、外部からファクシミリデータを受信しない状態でスリープ移行時間が経過した場合に、画像形成装置１はスタンバイ状態から省電力状態に移行する。画像形成装置１がスタンバイ状態から省電力状態に移行するための条件は、ユーザが操作部８を操作すること、コンピュータ１０などの外部装置からＷＯＬパケットを受信すること、電話回線を介して外部からファクシミリデータを受信することに限定されない。
【００３６】
設定画面１００には、スリープ移行時間を選択するための選択キー１０２と、選択キー１０２を使って選択されたスリープ移行時間を表示する表示欄１０１と、表示欄１０１に表示されたスリープ移行時間を設定するためのＯＫキー１０３と、が表示されている。スリープ移行時間を変更する場合には、ユーザは、選択キー１０２を操作して、１分，５分，１０分，１時間，４時間の中から所望のスリープ移行時間を選択する。選択されたスリープ移行時間は、表示欄１０１に表示される。そして、所望のスリープ移行時間が表示欄１０１に表示された状態で、ユーザがＯＫキー１０３を選択することによって、スリープ移行時間が変更される。なお、スリープ移行時間を変更しない場合には、ユーザは、キャンセルキー１０４を選択する。
【００３７】
＜デバイス検索画面＞
図５は、デバイス検索画面を示す図である。
【００３８】
デバイス検索画面２００は、コンピュータ１０の表示部５１２に表示される。コンピュータ１０にインストールされるスキャンアプリケーションを実行すると、コンピュータ１０と通信可能に接続されるデバイスのリストがリスト欄２０１に表示される。図５の例では、コンピュータ１０と通信可能に接続されるデバイスとして、ＡＢＣスキャナ１、ＡＢＣスキャナ２及びＸＹＺスキャナがその種類と共に表示されている。デバイス検索画面２００には、コンピュータ１０と通信可能に接続されるデバイスのリストを更新するための検索キー２０２が表示されている。
【００３９】
＜デバイス確認画面＞
図６は、デバイス確認画面を示す図である。
【００４０】
デバイス確認画面２１０は、コンピュータ１０の表示部５１２に表示される。図６に示したデバイス確認画面２１０は、デバイス検索画面２００のリスト欄２０１に表示されるデバイスをユーザが選択したときに表示される。図６のデバイス確認画面２１０は、リスト欄２０１に表示されるＡＢＣスキャナ１が選択されたときに表示される画面である。
【００４１】
デバイス確認画面２１０には、選択されているデバイス名を表示する選択デバイス表示部２１１と、選択されているデバイスのスキャン設定を行うための画面を開くためのスキャナボタン２１２と、が表示されている。ユーザによってスキャナボタン２１２が選択されると、選択されているデバイス（図６の例では、ＡＢＣスキャナ１）に対して、アクセス要求が送信される。
【００４２】
＜スキャン設定画面＞
図７は、スキャン設定画面を示す図である。
【００４３】
スキャン設定画面２２０は、コンピュータ１０の表示部５１２に表示される。図７に示したスキャン設定画面２２０は、デバイス確認画面２１０のスキャナボタン２１２がユーザによって選択されたときに表示される。このスキャン設定画面２２０は、選択されたデバイスにおけるスキャン設定を行うための画面である。スキャン設定画面２２０には、選択されているデバイス名を表示する選択デバイス表示部２２１と、スキャン設定欄２２２と、が表示されている。スキャン設定欄２２２は、原稿のセット方法（自動、圧板、ＡＤＦ）を設定するための原稿セット項目２２４を含んでいる。
【００４４】
ユーザが原稿のセット方法として、圧板を選択した場合、スキャナ装置２は、原稿台に置かれた原稿の画像を読み取る。また、ユーザが原稿のセット方法として、ＡＤＦを選択した場合、スキャナ装置２は、原稿給紙ユニット１１から給紙された原稿の画像を読み取る。また、ユーザが原稿のセット方法として、自動を選択した場合、原稿給紙ユニット１１に原稿が置かれていれば原稿給紙ユニット１１に置かれた原稿を読み、原稿給紙ユニット１１に原稿が置かれていなければ、原稿台に置かれた原稿の画像を読み取る。
また、スキャン設定項目２２２は、原稿の画像データをカラーデータとして出力するかモノクロデータとして出力するかを設定するためのカラー設定項目２２５と、原稿の読み取り解像度を設定するための解像度設定項目２２６と、を含んでいる。また、スキャン設定欄２２２は、原稿のサイズを指定するためのサイズ指定項目２２７と、読み取られた原稿の画像データの出力ファイル形式（ＰＤＦ、ＴＩＦＦ、ＪＰＥＧ）を指定するためのファイル指定項目２２８と、を含んでいる。
【００４５】
ユーザがスキャン開始ボタン２２３を選択すると、画像形成装置１は、各項目２２４〜２２８の内容に基づいて、原稿の読み取りを開始する。例えば、各項目２２４〜２２８の内容が図７に示す設定である場合、画像形成装置１は、原稿給紙ユニット１１又は原稿台に置かれた原稿の画像をＡ４サイズの範囲で読み取る。そして、画像形成装置１は、解像度が３００×３００ｄｐｉのカラーの画像データを含むＰＤＦファイルをコンピュータ１０に送信する。
【００４６】
＜プルスキャンのシーケンス＞
図８は、プルスキャン機能を実行したときのシーケンス図である。
【００４７】
ユーザがコンピュータ１０にインストールされるスキャンアプリケーションを実行すると、表示部５１２に、デバイス検索画面２００が表示される。デバイス検索画面２００において、ユーザが所望のデバイスを選択すると、表示部５１２にデバイス確認画面２１０が表示される。デバイス確認画面２１０のスキャナボタン２１２が選択されると、コンピュータ１０は、選択したデバイスにアクセス要求（Ｓ５２１）を送信する。以下、選択したデバイスが、本実施形態の画像形成装置１であるものとして説明する。
【００４８】
画像形成装置１が省電力状態のときに、ネットワークを介してコンピュータ１０からアクセス要求を受信すると、ネットワークコントローラ９は、コントローラ３の電力制御部１６に対して割り込み信号を出力する（Ｓ５２２）。電力制御部１６は、割り込み信号が入力されると、画像形成装置１を省電力状態からスタンバイ状態に復帰させるスリープ復帰処理を実行する（Ｓ５２３）。なお、ここでは、画像形成装置１が省電力状態からスタンバイ状態に移行する例について説明したが、省電力状態から移行する先の状態は、スタンバイ状態に限定されない。例えば、本実施形態では、プリンタ装置４に対しては電力が供給されなくても良い。
【００４９】
そして、本実施形態では、ＣＰＵ１３は、画像形成装置１がコンピュータ１０からのアクセス要求によって省電力状態からスタンバイ状態に復帰した場合には、スリープ移行時間の変更処理を実行する（Ｓ５２４）。
【００５０】
＜スリープ移行時間の変更処理の詳細＞
ここで、ＣＰＵ１３が実行するスリープ移行時間の変更処理について説明する。
【００５１】
Ｓ５２４において、ＣＰＵ１３は、スリープ移行時間の設定画面１００で設定されたスリープ移行時間（例えば、１分である。）に、予め定められた時間（例えば、５分）を加えた時間（例えば、６分）を、新たなスリープ移行時間とするに設定する。これにより、コンピュータ１０からアクセス要求を受けて省電力状態からスタンバイ状態に復帰した画像形成装置１が、設定画面１００で設定されたスリープ移行時間が経過したことに従って、省電力状態に移行してしまうのを防止することができる。
【００５２】
従来では、スリープ移行時間の設定画面１００において、例えば、ユーザが１分という短い時間を設定した場合には、ユーザがスキャン設定画面２２０でプルスキャン機能の設定をしている間に、画像形成装置１が省電力状態に移行してしまう。本実施形態では、コンピュータ１０からのアクセス要求を受信した場合には、設定画面１００で設定されたスリープ移行時間より長いスリープ移行時間が設定される。したがって、本実施形態では、設定画面１００で設定したスリープ移行時間に従って、画像形成装置１が省電力状態に移行するのを禁止することができる。その結果、ユーザがプルスキャン機能の設定をしている間に、画像形成装置１が省電力状態に移行してしまうのを抑制することができる。
【００５３】
また、ＣＰＵ１３は、画像形成装置１がコンピュータ１０からプルスキャン機能のアクセス要求によって省電力状態からスタンバイ状態に復帰した場合には、節電ボタン４０の押下による省電力状態への移行を禁止する禁止処理を実行する（Ｓ５２５）。
【００５４】
＜節電ボタンの押下による省電力状態への移行を禁止する禁止処理の詳細＞
ここで、ＣＰＵ１３が実行する禁止処理（Ｓ５２５）について説明する。
【００５５】
Ｓ５２５において、ＣＰＵ１３は、節電ボタン４０から割り込み信号が入力されても、制御信号２１−２４を制御しないように電力制御部１６の禁止フラグを設定する。電力制御部１６は、禁止フラグが設定されている場合に、節電ボタン４０から割り込み信号が入力されても、スイッチＳＷ１−ＳＷ４をオンしない。この禁止フラグは、変更されたスリープ移行時間の間、設定され続ける。変更されたスリープ移行時間が経過すると、禁止フラグが解除される。
【００５６】
このように、本実施形態では、コンピュータ１０からプルスキャン機能のアクセス要求を受信した場合には、節電ボタン４０の押下による省電力状態への移行を禁止することができる。その結果、ユーザがプルスキャン機能の設定をしている間に、他のユーザの節電ボタン４０の押下によって、画像形成装置１が省電力状態に移行してしまうのを抑制することができる。
【００５７】
変更処理（Ｓ５２４）及び禁止処理（Ｓ５２５）が実行された後、ＣＰＵ１３は、ネットワークコントローラ９を介して、コンピュータ１０に対して応答を返す（Ｓ５２６、Ｓ５２７）。
【００５８】
次に、ユーザがスキャン設定画面２２０においてスキャン設定をした上でスキャン開始ボタン２２３を選択すると、コンピュータ１０は、画像形成装置１に対して画像読み取り要求（Ｓ５２８、Ｓ５２９）を送信する。画像読み取り要求を受信したＣＰＵ１３は、スキャン設定に基づいて、原稿のスキャン処理を実行する（Ｓ５３０）。また、画像読み取り要求を受信したＣＰＵ１３は、当該画像読み取り要求を受信したことを示す受付応答を、ネットワークコントローラ９を介して、コンピュータ１０に送信する（Ｓ５３１，Ｓ５３２）。
【００５９】
コンピュータ１０は、受付応答を受信すると、画像形成装置１に対して画像取得要求（Ｓ５３３，Ｓ５３４）を送信する。画像取得要求を受信したときに上記したスキャン処理が完了していない場合には、ＣＰＵ１３は、コンピュータ１０に対してスキャン中を示すステータスを送信する（Ｓ５３５，Ｓ５３６）。スキャン中を示すステータスを受信したコンピュータ１０は、所定時間待って、画像形成装置１に対して画像取得要求（Ｓ５３７，Ｓ５３８）を再度送信する。
【００６０】
画像取得要求を受信したときに上記したスキャン処理が完了している場合には、ＣＰＵ１３は、コンピュータ１０に対して原稿の画像データを送信（Ｓ５３９，Ｓ５４０）する。
【００６１】
＜画像形成装置の動作を示すフローチャート＞
図９は、プルスキャン機能を実行するときの画像形成装置の動作を示すフローチャートである。
【００６２】
コンピュータ１０において、画像形成装置１のプルスキャン機能を実行する場合、コンピュータ１０にインストールされるスキャンアプリケーションを実行する。スキャンアプリケーションの実行によって表示されるデバイス検索画面２００において、ユーザが、プルスキャン機能を実行させるデバイスを選択すると、デバイス確認画面２１０が表示される。デバイス確認画面２１０において、ユーザがスキャナボタン２１２を押下すると、コンピュータ１０は、画像処理装置１に対してアクセス要求（ＷＯＬパケット）を送信する。このアクセス要求は、所定のプロトコルに従って送信される。
【００６３】
画像形成装置１が省電力状態のときに、ネットワークコントローラ９がＷＯＬパケットを受信すると（Ｓ４００）、電力制御部１６に割り込み信号が入力される。割り込み信号が入力された電力制御部１６は、スリープ復帰処理を実行する（Ｓ４０１）。具体的には、電力制御部１６は、制御信号２１を制御して、スイッチＳＷ１をオンする。これにより、ＣＰＵ１３に電力が供給される。
【００６４】
電力が供給されたＣＰＵ１３は、受信したＷＯＬパケットが、所定のプロトコルに従うパケットかどうかを判断する（Ｓ４０２）。受信したＷＯＬパケットが所定のプロトコルに従う場合（Ｓ４０２：Ｙｅｓ）、ＣＰＵ１３は、コンピュータ１０からプルスキャン機能のアクセス要求を受信したと判断して、スタンバイ状態に復帰するよう電力制御部１６に指示する（Ｓ４０３）。電力制御部１６は、ＣＰＵ１３からの指示に従って、制御信号２１−２４を制御して、スイッチＳＷ１−ＳＷ４をオンする。なお、電力制御部１６は、プルスキャン機能の実行に必要がないプリンタ装置４に電力が供給されないように、制御信号２３を制御してスイッチＳＷ３だけをオンしても良い。
【００６５】
なお、ＣＰＵ１３は、コンピュータ１０からプルスキャン機能のアクセス要求を受信したと判断した場合、表示部４１にプルスキャン機能が実行中であることを示す情報を表示する画面を表示しても良い。
【００６６】
そして、本実施形態では、ＣＰＵ１３は、スリープ移行時間の変更処理を実行する（Ｓ４０４）。具体的には、ＣＰＵ１３は、画像形成装置１のスリープ移行時間として、設定画面１００で設定されたスリープ移行時間に予め定めた時間を加えた時間を設定する。さらに、本実施形態では、プルスキャン機能のアクセス要求を受信した場合に、ＣＰＵ１３は、節電ボタン４０の押下による省電力状態への移行を禁止する（Ｓ４０５）。具体的には、ＣＰＵ１３は、節電ボタン４０から割り込み信号が入力されても、制御信号２１−２４を制御しないように、電力制御部１６の禁止フラグを設定する。電力制御部１６は、禁止フラグが設定されている場合、変更されたスリープ移行時間が経過する前には、節電ボタン４０から割り込み信号が入力されても、スイッチＳＷ１−ＳＷ４をオフしない。
【００６７】
そして、ＣＰＵ１３は、コンピュータ１０から読み取り要求を受信すると（Ｓ４０６：Ｙｅｓ）、スキャナ装置２に対して原稿の画像を読み取るよう指示する（Ｓ４０７）。なお、読み取り要求は、スキャン設定画面２２０に表示されるスキャン開始ボタン２２３がユーザによって選択された場合に、コンピュータ１０から画像形成装置１に送信される。
【００６８】
スキャナ装置２によって読み取られた原稿の画像データは、ハードディスク装置１４に保存される。そして、ＣＰＵ１３は、ハードディスク装置１４に保存された画像データを、ネットワークコントローラ９を介してコンピュータ１０に送信する（Ｓ４０８）。
【００６９】
そして、ＣＰＵ１３は、変更したスリープ移行時間を、設定画面１００で設定されたスリープ移行時間に戻す（Ｓ４０９）。また、ＣＰＵ１３は、節電ボタン４０から割り込み信号が入力されたときに省電力状態に移行可能とするために、禁止フラグの設定を解除する（Ｓ４１０）。
【００７０】
（他の実施形態）
本実施形態では、コンピュータ１０からプルスキャン機能のアクセス要求を受信したことに従って、スリープ移行条件を変更する例について説明したが、本発明はプルスキャン機能のアクセス要求に限定されない。外部装置からの読取要求によって原稿の読み取りを行う機能であれば、プルスキャン機能のアクセス要求でなくても構わない。
【００７１】
また、本実施形態では、コンピュータ１０からプルスキャン機能のアクセス要求を受信した場合に、スリープ移行時間として、設定画面１００で設定されたスリープ移行時間に予め定めた時間が加算される例について説明した。本発明はこれに限らず、設定画面１００で設定されたスリープ移行時間に代えて、予め定められた時間を設定しても良い。
【００７２】
また、本実施形態では、設定画面１００で設定されたスリープ移行時間に対して、一律に予め定められた時間を加算する例について説明した。本発明はこれに限らず、設定画面１００で設定されたスリープ移行時間が所定時間より短い場合にのみ、予め定められた時間を加算しても良いし、予め定められた時間Ｘに変更しても良い。
【００７３】
上記した実施形態では、本発明の画像読取装置としてＭＦＰについて説明したが、スキャン機能を有していれば、画像読取装置はプリント機能やファックス機能を有していなくても構わない。
【００７４】
なお、本発明は、複数の機器（例えば、情報処理装置、ルーター、画像読取装置など）から構成されるシステムに適用しても、一つの機器からなる装置（例えば、画像読取装置、複写機、ファクシミリ装置など）に適用してもよい。
【００７５】
また、本発明の目的は、前述した実施形態の機能を実現するソフトウェアのプログラムコードを記録した記録媒体を、システムあるいは装置に供給するよう構成することによっても達成される。この場合、そのシステムあるいは装置のコンピュータ（またはＣＰＵやＭＰＵ）が記録媒体に格納されたプログラムコードを読出し実行することにより、上記機能が実現されることとなる。なお、この場合、そのプログラムコードを記憶した記録媒体は本発明を構成することになる。
【００７６】
プログラムコードを供給するための記録媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００７７】
また、コンピュータが読出したプログラムコードを実行することにより、前述した実施形態の機能が実現される場合に限られない。例えば、そのプログラムコードの指示に基づき、コンピュータ上で稼働しているＯＳ（オペレーティングシステム）などが実際の処理の一部または全部を行い、その処理によって前述した実施形態の機能が実現される場合も含まれる。
【００７８】
さらに、記録媒体から読出されたプログラムコードが、コンピュータに挿入された機能拡張ボードやコンピュータに接続された機能拡張ユニットに備わるメモリに書込まれた後、前述した実施形態の機能が実現される場合も含まれる。つまり、プログラムコードがメモリに書込まれた後、そのプログラムコードの指示に基づき、その機能拡張ボードや機能拡張ユニットに備わるＣＰＵなどが実際の処理の一部または全部を行い、その処理によって実現される場合も含まれる。
【符号の説明】
【００７９】
１  画像形成装置
２  スキャナ装置
９  ネットワークコントローラ
１０  コンピュータ
１３  ＣＰＵ
１６  電力制御部
【図１】
2017038171.tif 000003
【図２】
2017038171.tif 000004
【図３】
2017038171.tif 000005
【図４】
2017038171.tif 000006
【図５】
2017038171.tif 000007
【図６】
2017038171.tif 000008
【図７】
2017038171.tif 000009
【図８】
2017038171.tif 000010
【図９】
2017038171.tif 000011